(57)【特許請求の範囲】
【請求項１】
照明器具の点灯状態を時刻に応じて変更するためのスケジュールを生成するスケジュール生成部と、
前記照明器具が有するアドレスを取得する取得部と、
前記スケジュール生成部がスケジュールを生成した後に前記取得部が取得したアドレスを当該スケジュールに割り当てる割当部と、
前記スケジュール生成部が生成したスケジュールを示すスケジュールアイコンと、前記取得部が取得したアドレスを示すアドレスアイコンとを表示する表示部と、を備え、
前記割当部は、ユーザが前記アドレスアイコンと前記スケジュールアイコンとを重ねることで、前記取得部が取得したアドレスを前記スケジュール生成部が生成したスケジュールに割り当てる
照明設定装置。
【請求項２】
照明器具の点灯状態を時刻に応じて変更するためのスケジュールを生成するスケジュール生成部と、
前記照明器具が有するアドレスを取得する取得部と、
前記スケジュール生成部がスケジュールを生成した後に前記取得部が取得したアドレスを当該スケジュールに割り当てる割当部と、
前記照明器具の仮アドレスを生成する仮アドレス生成部と、
前記仮アドレス生成部が生成した仮アドレスをグループ分けするグループ生成部と、を備え、
前記割当部は、前記グループ生成部がグループ分けしたグループを前記スケジュール生成部が生成したスケジュールに割り当て、前記取得部が取得したアドレスを前記仮アドレスに割り当てることで、前記取得部が取得したアドレスを前記スケジュール生成部が生成したスケジュールに割り当てる
照明設定装置。
【請求項３】
さらに、
前記スケジュール生成部が生成したスケジュールを示すスケジュールアイコンと、
前記取得部が取得したアドレスを示すアドレスアイコンと、
前記仮アドレス生成部が生成した仮アドレスを示す仮アドレスアイコンと、
前記グループ生成部がグループ分けしたグループを示すグループアイコンと、を表示する表示部を備え、
前記割当部は、
ユーザが前記グループアイコンと前記スケジュールアイコンとを重ねることで、前記グループ生成部がグループ分けしたグループを前記スケジュール生成部が生成したスケジュールに割り当て、
ユーザが前記アドレスアイコンと前記仮アドレスアイコンとを重ねることで、前記取得部が取得したアドレスを前記仮アドレスに割り当てる
請求項２に記載の照明設定装置。
【請求項４】
照明器具の仮アドレスを生成する仮アドレス生成部と、
前記仮アドレス生成部が生成した仮アドレスをグループ分けするグループ生成部と、
照明器具が有するアドレスを取得する取得部と、
前記グループ生成部が前記仮アドレスをグループ分けした後に前記取得部が取得したアドレスを前記仮アドレスに割り当てる割当部と、を備える
照明設定装置。
【請求項５】
請求項１〜４のいずれか１項に記載に照明設定装置と、
前記照明設定装置と通信するコントローラと、
前記コントローラと通信する照明器具と、を備え、
前記コントローラは、前記照明設定装置が設定した情報に応じて前記照明器具を制御する
照明システム。
【請求項６】
照明器具の点灯状態を時刻に応じて変更するためのスケジュールを生成するスケジュール生成ステップと、
照明器具が有するアドレスを取得する取得ステップと、
前記スケジュール生成ステップでスケジュールを生成した後に前記取得ステップで取得したアドレスを前記スケジュール生成ステップで生成したスケジュールに割り当てる割当ステップと、を含む
照明設定方法。
【発明の詳細な説明】
【技術分野】
【０００１】
本発明は、照明設定装置、照明システム及び照明設定方法に関する。
【背景技術】
【０００２】
従来、照明器具の点灯状態（調光率及び色温度等）を変更するための設定をする照明設定装置がある。特許文献１には、このような照明設定装置に関する技術が記載されている。
【先行技術文献】
【特許文献】
【０００３】
【特許文献１】特開２００８−１３５２２８号公報
【発明の概要】
【発明が解決しようとする課題】
【０００４】
ところで、複数の照明器具を施工する際に、設置された場所が異なる照明器具毎に、異なる点灯状態、又は、異なるスケジュール等の設定をしたいという要望がある。ここで、スケジュールとは、照明器具の点灯状態を時刻に応じて変更するスケジュールのことをいう。しかし、照明器具の施工が終わった後に、照明器具毎に照明器具の設置された場所に応じた設定を行う必要があり、設定に手間がかかってしまう。
【０００５】
そこで本発明は、照明器具の設定作業を効率化できる照明設定装置、照明システム及び照明設定方法を提供することを目的とする。
【課題を解決するための手段】
【０００６】
本発明の一態様に係る照明設定装置は、照明器具の点灯状態を時刻に応じて変更するためのスケジュールを生成するスケジュール生成部と、前記照明器具が有するアドレスを取得する取得部と、前記スケジュール生成部がスケジュールを生成した後に前記取得部が取得したアドレスを当該スケジュールに割り当てる割当部と、を備える。
【０００７】
本発明の一態様に係る照明設定装置は、照明器具の仮アドレスを生成する仮アドレス生成部と、前記仮アドレス生成部が生成した仮アドレスをグループ分けするグループ生成部と、照明器具が有するアドレスを取得する取得部と、前記グループ生成部が前記仮アドレスをグループ分けした後に前記取得部が取得したアドレスを前記仮アドレスに割り当てる割当部と、を備える。
【０００８】
本発明の一態様に係る照明システムは、上記の照明設定装置と、前記照明設定装置と通信するコントローラと、前記コントローラと通信する照明器具と、を備え、前記コントローラは、前記照明設定装置が設定した情報に応じて前記照明器具を制御する。
【０００９】
本発明の一態様に係る照明設定方法は、照明器具の点灯状態を時刻に応じて変更するためのスケジュールを生成するスケジュール生成ステップと、照明器具が有するアドレスを取得する取得ステップと、前記スケジュール生成ステップでスケジュールを生成した後に前記取得ステップで取得したアドレスを前記スケジュール生成ステップで生成したスケジュールに割り当てる割当ステップと、を含む。
【発明の効果】
【００１０】
本発明に係る照明設定装置、照明システム及び照明設定方法によれば、照明器具の設定作業を効率化できる。
【図面の簡単な説明】
【００１１】
【図１】実施の形態１に係る照明システムの構成図である。
【図２】実施の形態１に係る照明設定装置の動作の一例を示すフローチャートである。
【図３】実施の形態１に係るスケジュール生成部が生成するスケジュールの一例を示す図である。
【図４】実施の形態１に係る表示部の、アドレスが取得されたときの表示の一例を示す図である。
【図５】実施の形態１に係る照明器具のアドレスの確認方法を示す図である。
【図６】実施の形態１に係るアドレスをスケジュールに割り当てる様子を示す図である。
【図７】実施の形態１に係る表示部の、アドレスアイコンとスケジュールアイコンとが重なったときの表示の一例を示す図である。
【図８】実施の形態１に係る照明設定装置の効果を説明する図である。
【図９】実施の形態２に係る照明システムの構成図である。
【図１０】実施の形態２に係る照明設定装置の動作の一例を示すフローチャートである。
【図１１】実施の形態２に係る表示部の、仮アドレスが配置されたときの表示の一例を示す図である。
【図１２】実施の形態２に係る表示部の、仮アドレスがグループ分けされたときの表示の一例を示す図である。
【図１３】実施の形態２に係る表示部の、グループアイコンが配置されたときの表示の一例を示す図である。
【図１４】実施の形態２に係る表示部の、グループアイコンとスケジュールアイコンとが重なったときの表示の一例を示す図である。
【図１５】実施の形態２に係る表示部の、アドレスが取得されたときの表示の一例を示す図である。
【図１６】実施の形態２に係るアドレスを仮アドレスに割り当てる様子を示す図である。
【図１７】実施の形態２に係る表示部の、アドレスアイコンと仮アドレスアイコンとが重なったときの表示の一例を示す図である。
【図１８】実施の形態２に係るスケジュールに、仮アドレスが割り当てられた状態からアドレスが割り当てられた状態に変わる様子を示す図である。
【発明を実施するための形態】
【００１２】
以下では、本発明の実施の形態に係る照明設定装置、照明システム及び照明設定方法について、図面を用いて詳細に説明する。なお、以下に説明する実施の形態は、いずれも本発明の好ましい一具体例を示すものである。従って、以下の実施の形態で示される数値、形状、材料、構成要素、構成要素の配置及び接続形態、ステップ、ステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１３】
また、各図は、模式図であり、必ずしも厳密に図示されたものではない。また、各図において、同じ構成部材については同じ符号を付している。
【００１４】
（実施の形態１）
以下、実施の形態１について、図１から図９を用いて説明する。
【００１５】
［照明システムの構成］
図１は、実施の形態１に係る照明システムの構成図である。
【００１６】
図１に示されるように、照明システム１は、照明設定装置１０、コントローラ２０及び照明器具３０を備える。本実施の形態では、照明システム１は、複数の照明器具３０ａ〜３０ｄを備える。照明システム１では、照明設定装置１０は、照明器具３０の点灯状態に関する設定を行い、コントローラ２０は、照明設定装置１０が設定した情報に応じて照明器具３０を制御する。
【００１７】
照明設定装置１０は、照明器具３０それぞれの点灯状態として例えば調光率を変更するための設定を行う。照明設定装置１０が設定した情報は、例えば照明設定装置１０が備える記憶部（図示せず）に記憶される。照明設定装置１０は、設定した情報を例えば照明設定装置１０が備える通信部（図示せず）を介してコントローラ２０に送信する。照明設定装置１０は、コントローラ２０と例えば無線で通信するが、有線で通信してもよい。照明設定装置１０は、取得部１１、スケジュール生成部１２、割当部１３及び表示部１００を備える。照明設定装置１０は、例えば、携帯端末若しくはタブレット等の端末装置、リモコン、または、ＰＣ（Ｐｅｒｓｏｎａｌ  Ｃｏｍｐｕｔｅｒ）等である。
【００１８】
取得部１１は、照明器具３０が有するアドレス（実アドレス）を取得する。
【００１９】
スケジュール生成部１２は、照明器具３０の点灯状態（例えば調光率）を時刻に応じて変更するためのスケジュールを生成する。
【００２０】
割当部１３は、スケジュール生成部１２がスケジュールを生成した後に、取得部１１が取得したアドレスをスケジュールに割り当てる。これにより、アドレスとスケジュールとが対応付けられる。ここで、アドレスがスケジュールに割り当てられることで、アドレスとスケジュールとが対応付けられた情報を、照明設定装置１０が設定した情報と呼ぶ。
【００２１】
取得部１１、スケジュール生成部１２及び割当部１３が行う動作については、後述する図２で詳細に説明する。取得部１１、スケジュール生成部１２及び割当部１３は、例えば照明設定装置１０が備えるプロセッサ（図示せず）によって実現される。
【００２２】
表示部１００は、スケジュール生成部１２が生成したスケジュールを示すスケジュールアイコン１０１と、取得部１１が取得したアドレスを示すアドレスアイコン１０２とを表示する。表示部１００は、例えば、タッチパネルディスプレイ又はディスプレイ等である。表示部１００がタッチパネルディスプレイの場合、タッチパネルディスプレイに表示されたアイコンは、例えば、ユーザの指又はタッチペン等によって操作される。また、表示部１００がディスプレイの場合、ディスプレイに表示されたアイコンは、例えば、照明設定装置１０に接続されたマウス等の入力装置によって操作される。以下では、表示部１００はディスプレイとし、ディスプレイに表示されたアイコンは、例えば、マウスによって操作されるとする。なお、表示部１００へのアイコンの表示及び表示部１００が受け付けたユーザからの操作に対応する動作は、例えば照明設定装置１０が備えるプロセッサによって実現される。表示部１００が表示するアイコンの操作については、後述する。
【００２３】
コントローラ２０は、例えば通信部（図示せず）を有し、照明設定装置１０及び照明器具３０と通信する。コントローラ２０は、照明設定装置１０が設定した情報に応じて照明器具３０を制御する。具体的には、コントローラ２０は、照明設定装置１０が生成したスケジュールに従って、照明器具３０の調光率を時刻に応じて変更する。なお、コントローラ２０は、照明設定装置１０が設定した情報を、例えばコントローラ２０が有する記憶部（図示せず）に記憶する。
【００２４】
照明器具３０は、出力する光の調光が可能な照明器具である。照明器具３０は、例えば通信部（図示せず）を有し、コントローラ２０と通信する。照明器具３０は、照明器具３０が備える光源の光出力がコントローラ２０に調整されることで調光率を変化させて調光する。また、照明器具３０には、ランダムにアドレスが付与されており、ユーザは、外見では照明器具３０が有するアドレスを認識できない。なお、照明器具３０は、付与されたアドレスを、例えば照明器具３０が有する記憶部（図示せず）に記憶する。
【００２５】
［照明設定装置の動作］
次に、照明設定装置１０の動作について説明する。
【００２６】
図２は、実施の形態１に係る照明設定装置１０の動作の一例を示すフローチャートである。
【００２７】
まず、スケジュール生成部１２は、照明器具３０の調光率を時刻に応じて変更するためのスケジュールを生成する（Ｓ１１）。スケジュール生成部１２が生成するスケジュールについては後述する図３で詳細に説明する。ステップＳ１１の後に照明器具３０の施工が完了する。つまり、スケジュール生成部１２は、照明器具３０の施工が開始される前、又は、照明器具３０の施工中に並行して、スケジュールを生成する。
【００２８】
次に、取得部１１は、照明器具３０が有するアドレスを取得する（Ｓ１２）。具体的には、取得部１１は、照明器具３０が有するアドレスを照明器具３０の施工が完了した後に取得する。取得部１１は、例えば、コントローラ２０を介して、照明器具３０のアドレスを取得する。ただし、上述したように、ユーザは、照明器具３０のそれぞれがどのアドレスを有しているかを認識していないとする。照明器具３０のそれぞれが有しているアドレスの確認方法については後述する図５で詳細に説明する。
【００２９】
次に、割当部１３は、スケジュール生成部１２がスケジュールを生成した後（言い換えると、照明器具３０の施工が完了した後）に取得部１１が取得したアドレスをスケジュール生成部１２が生成したスケジュールに割り当てる（Ｓ１３）。
【００３０】
このように、照明設定装置１０は、照明器具３０の施工が完了する前に、予めスケジュールを生成し、照明器具３０の施工が完了した後にアドレスをスケジュールに割り当てる。
【００３１】
ステップＳ１１〜Ｓ１３の具体的な動作について、本実施の形態では、表示部１００に表示されたアイコンを操作することで行われる。
【００３２】
まず、ステップＳ１１においてスケジュール生成部１２が生成するスケジュールについて詳細に説明する。
【００３３】
図３は、実施の形態１に係るスケジュール生成部１２が生成するスケジュールの一例を示す図である。表示部１００は、スケジュール生成アイコン１１１及びアドレス取得アイコン１１２を表示する。アドレス取得アイコン１１２については、後述する図４で説明する。本実施の形態では、例えば、２つのスケジュール（スケジュール１及びスケジュール２）が生成される。図３に示されるように、例えば、スケジュール１では、照明器具３０は、０時から１２時まで調光率５０％、１２時から２０時まで調光率７０％、２０時から２４時まで調光率０％に制御される。また、スケジュール２では、照明器具３０は、０時から７時まで調光率０％、７時から１７時まで調光率８０％、１７時から２４時まで調光率６０％に制御される。スケジュール生成部１２が生成したスケジュールは、例えばスケジュールアイコン１０１に対応付けられて表示部１００のスケジュール生成画面に表示される。具体的には、本実施の形態では、スケジュール１が対応付けられたスケジュールアイコン１０１ａ、及び、スケジュール２が対応付けられたスケジュールアイコン１０１ｂが表示部１００のスケジュール生成画面に表示される。
【００３４】
なお、スケジュール生成部１２がスケジュールを生成する方法は限定されない。例えば、スケジュール生成部１２は、スケジュール生成アイコン１１１がユーザに操作（例えばクリック）されることで、スケジュールを生成してもよい。例えば、スケジュール生成アイコン１１１が操作されると、生成するスケジュールの数及びそれぞれのスケジュールの時間帯毎の調光率等を入力するモードになり、スケジュールが生成されてもよい。また、スケジュール生成部１２は、例えば、表示部１００のスケジュール生成画面に表示された、図３に示されるようなバー状のアイコンをユーザに操作されることで、スケジュールを生成してもよい。
【００３５】
このように、スケジュール生成部１２は、スケジュールを生成する。スケジュール生成部１２が生成したスケジュールは、例えば照明設定装置１０が備える記憶部に記憶される。
【００３６】
次に、ステップＳ１２及びＳ１３での具体的な動作について、図４〜７を用いて説明する。
【００３７】
まずステップＳ１２での動作について図４及び図５を用いて説明する。
【００３８】
図４は、実施の形態１に係る表示部１００の、アドレスが取得されたときの表示の一例を示す図である。
【００３９】
取得部１１は、例えば、アドレス取得アイコン１１２がユーザに操作（例えばクリック）されることで、照明器具３０が有するアドレスを取得する。図４に示されるように、表示部１００は、取得部１１が取得したアドレスを示すアドレスアイコン１０２を表示する。しかし、上述したように、ユーザは、照明器具３０のそれぞれがどのアドレスを有しているか認識していない。具体的には、表示部１００は、取得部１１が取得したアドレス１〜４を示すアドレスアイコン１０２ａ〜１０２ｄを表示するが、ユーザは、照明器具３０ａ〜３０ｄのそれぞれがアドレス１〜４のうちどのアドレスを有しているかわからない。ここで、照明器具３０のそれぞれが有しているアドレスの確認方法について、図５を用いて説明する。
【００４０】
図５は、実施の形態１に係る照明器具３０のアドレスの確認方法を示す図である。なお、図５には、照明器具３０のそれぞれが有するアドレスを記載している。
【００４１】
例えば、アドレス１〜４のうちアドレス１を有する照明器具３０を確認する方法について説明する。
【００４２】
照明設定装置１０は、アドレス１を有する照明器具３０を点滅させる命令をコントローラ２０に送信する。例えば、ユーザが表示部１００に表示されたアドレス１を示すアドレスアイコン１０２ａを操作（例えばクリック）することで、照明設定装置１０は、アドレス１を有する照明器具３０を点滅させる命令をコントローラ２０に送信する。そして、コントローラ２０は、アドレス１を有する照明器具３０を点滅するように制御することで、アドレス１を有する照明器具３０ｂが点滅する。これにより、ユーザは、照明器具３０ｂの点滅を確認することで、照明器具３０ｂがアドレス１を有していることがわかる。言い換えると、ユーザは、表示部１００に表示されたアドレスアイコン１０２ａが照明器具３０ｂのアドレスを示すアイコンであることがわかる。
【００４３】
同様に、アドレス２〜４についてもどの照明器具３０が有するアドレスであるかを確認することができる。これにより、ユーザは、照明器具３０ａはアドレス３を有し、照明器具３０ｃはアドレス２を有し、照明器具３０ｄはアドレス４を有することがわかる。
【００４４】
次にステップＳ１３での動作について図６及び図７を用いて説明する。
【００４５】
図６は、実施の形態１に係るアドレスをスケジュールに割り当てる様子を示す図である。
【００４６】
例えば、照明器具３０ｂをスケジュール１で制御する場合について説明する。照明器具３０ｂはアドレス１を有し、アドレス１はアドレスアイコン１０２ａに対応付けられている。また、スケジュール１はスケジュールアイコン１０１ａに対応付けられている。
【００４７】
割当部１３は、取得部１１が取得したアドレス１をスケジュール生成部１２が生成したスケジュール１に割り当てる。例えば、ユーザが表示部１００に表示されたアドレスアイコン１０２ａとスケジュールアイコン１０１ａとを重ねることで、割当部１３は、取得部１１が取得したアドレス１をスケジュール生成部１２が生成したスケジュール１に割り当てる。具体的には、ユーザがアドレスアイコン１０２ａをスケジュール生成画面に表示されたスケジュールアイコン１０１ａ上に配置（ドラッグアンドドロップ）することで、割当部１３は、取得部１１が取得したアドレス１をスケジュール生成部１２が生成したスケジュール１に割り当てる。これにより、アドレス１とスケジュール１とは対応付けられる。
【００４８】
同様にして、アドレス２〜４についても、スケジュールが割り当てられる。
【００４９】
図７は、実施の形態１に係る表示部１００の、アドレスアイコン１０２とスケジュールアイコン１０１とが重なったときの表示の一例を示す図である。
【００５０】
例えば、照明器具３０ａ（アドレス３）及び３０ｂ（アドレス１）をスケジュール１で制御し、照明器具３０ｃ（アドレス２）及び３０ｄ（アドレス４）をスケジュール２で制御する場合、図７に示されるように、ユーザはアドレスアイコン１０２のそれぞれを所望のスケジュールを示すスケジュールアイコン１０１上に配置する。
【００５１】
このように、取得部１１が取得した照明器具３０のアドレスが、スケジュール生成部１２が生成したスケジュールに割り当てられる。
【００５２】
そして、照明設定装置１０は、表示部１００上でユーザによって操作されたアイコンの配置に基づく照明設定装置１０が設定した情報（アドレスとスケジュールとが対応付けられた情報）を、コントローラ２０に送信する。具体的には、照明設定装置１０は、アドレス１及び３とスケジュール１とが対応付けられた情報、並びに、アドレス２及び４とスケジュール２とが対応付けられた情報をコントローラ２０に送信する。そして、コントローラ２０は、アドレス３を有する照明器具３０ａ及びアドレス１を有する照明器具３０ｂをスケジュール１で制御し、アドレス２を有する照明器具３０ｃ及びアドレス４を有する照明器具３０ｄをスケジュール２で制御する。
【００５３】
［効果等］
複数の照明器具を施工する際に、設置された場所が異なる照明器具毎に、異なる点灯状態、又は、異なるスケジュール等の設定をしたいという要望がある。しかし、照明器具の施工が終わった後に、照明器具の設置された場所に応じた設定を行う必要があり、設定に手間がかかってしまう。
【００５４】
そこで、本実施の形態に係る照明設定装置１０は、照明器具３０の点灯状態を時刻に応じて変更するためのスケジュールを生成するスケジュール生成部１２と、照明器具３０が有するアドレスを取得する取得部１１と、スケジュール生成部１２がスケジュールを生成した後に取得部１１が取得したアドレスをスケジュールに割り当てる割当部１３と、を備える。
【００５５】
また、本実施の形態に係る照明システム１は、上記の照明設定装置１０と、照明設定装置１０と通信するコントローラ２０と、コントローラ２０と通信する照明器具３０と、を備え、コントローラ２０は、照明設定装置１０が設定した情報に応じて照明器具３０を制御する。
【００５６】
また、本実施の形態に係る照明設定方法は、照明器具３０の点灯状態を時刻に応じて変更するためのスケジュールを生成するスケジュール生成ステップと、照明器具３０が有するアドレスを取得する取得ステップと、スケジュール生成ステップでスケジュールを生成した後に取得ステップで取得したアドレスをスケジュール生成ステップで生成したスケジュールに割り当てる割当ステップと、を含む。
【００５７】
これにより、照明器具３０の施工が完了する前、つまり、照明器具３０の施工が開始される前、又は、照明器具３０の施工中に並行して、予め、例えばスケジュールの生成をすることができる。また、取得部１１が取得したアドレスをスケジュール生成部１２が生成したスケジュールに割り当てるだけで照明器具３０の設定（スケジューリング）を簡単に行うことができる。したがって、照明器具の設定作業を効率化できる。
【００５８】
具体的には、図８を用いて説明する。
【００５９】
図８は、実施の形態１に係る照明設定装置１０の効果を説明する図である。図８の（ａ）は、従来の照明設定装置を使用したときの照明器具３０の施工から設定の流れを示す図である。図８の（ｂ）は、照明設定装置１０を使用した時の照明器具３０の施工から設定の流れを示す図である。
【００６０】
図８の（ａ）に示されるように、従来は、照明器具３０の施工が完了してから、設置された場所が異なる照明器具３０毎に異なる設定をしており全体の工数が多くなっている。
【００６１】
一方、図８の（ｂ）に示されるように、照明設定装置１０を使用した場合、照明器具３０の施工が完了する前から、照明器具３０の設定（例えばスケジューリング）を予め行う。また、照明器具３０の施工が完了した後に、ユーザが照明器具３０それぞれのアドレスを確認し、設置された場所が異なる照明器具３０毎のアドレスを、予め生成したスケジュールに割り当てる。つまり、照明器具３０のアドレスを確認し、確認したアドレスを予め生成したスケジュールに割り当てるだけで、照明器具３０の設定を簡単に行うことができる。したがって、照明器具の設定作業を効率化できる。これにより、施工から照明器具の設定を含めた全体の工数が短縮される。
【００６２】
また、照明設定装置１０は、さらに、スケジュール生成部１２が生成したスケジュールを示すスケジュールアイコン１０１と、取得部１１が取得したアドレスを示すアドレスアイコン１０２と、を表示する表示部１００を備える。割当部１３は、ユーザがアドレスアイコン１０２とスケジュールアイコン１０１とを重ねることで、取得部１１が取得したアドレスをスケジュール生成部１２が生成したスケジュールに割り当てる。
【００６３】
これにより、ユーザは表示部１００に表示されたアイコンを操作するだけで簡単に取得部１１が取得したアドレスをスケジュール生成部１２が生成したスケジュールに割り当てることができるため、照明器具の設定作業を効率化できる。
【００６４】
（実施の形態２）
以下、実施の形態２について、図９から図１８を用いて説明する。
【００６５】
［照明システムの構成］
図９は、実施の形態２に係る照明システムの構成図である。
【００６６】
図９に示されるように、照明システム１ａは、照明設定装置１０の代わりに照明設定装置１０ａを備える点が、照明システム１と異なる。また、照明設定装置１０ａは、さらに、仮アドレス生成部１４及びグループ生成部１５を備え、表示部１００の代わりに表示部２００を備える点が、照明設定装置１０と異なる。それ以外の構成要素は実施の形態１の照明システム１におけるものと同じであるため、説明は省略する。
【００６７】
照明設定装置１０ａは、取得部１１、スケジュール生成部１２、割当部１３、仮アドレス生成部１４、グループ生成部１５及び表示部２００を備える。照明設定装置１０ａは、例えば、携帯端末若しくはタブレット等の端末装置、リモコン、または、ＰＣ等である。
【００６８】
仮アドレス生成部１４は、複数の照明器具３０のそれぞれの仮アドレスを生成する。
【００６９】
グループ生成部１５は、仮アドレス生成部１４が生成した複数の仮アドレスをグループ分けする。
【００７０】
割当部１３は、スケジュール生成部１２がスケジュールを生成した後にグループ生成部１５がグループ分けしたグループをスケジュールに割り当てる。そして、割当部１３は、取得部１１が取得したアドレスを仮アドレスに割り当てることで、取得部１１が取得したアドレスをスケジュール生成部１２が生成したスケジュールに割り当てる。
【００７１】
取得部１１、スケジュール生成部１２、割当部１３、仮アドレス生成部１４及びグループ生成部１５が行う動作については、後述する図１０で詳細に説明する。取得部１１、スケジュール生成部１２、割当部１３、仮アドレス生成部１４及びグループ生成部１５は、例えば照明設定装置１０ａが備えるプロセッサ（図示せず）によって実現される。
【００７２】
表示部２００は、スケジュール生成部１２が生成したスケジュールを示すスケジュールアイコン１０１と、取得部１１が取得したアドレスを示すアドレスアイコン１０２と、仮アドレス生成部１４が生成した仮アドレスを示す仮アドレスアイコン１０３と、グループ生成部１５がグループ分けしたグループを示すグループアイコン１０５とを表示する。また、表示部２００は、スケジュール生成アイコン１１１、アドレス取得アイコン１１２、仮アドレス生成アイコン１１３及びグループ生成アイコン１１４を表示する。スケジュール生成アイコン１１１及びアドレス取得アイコン１１２は、表示部１００におけるものと同じであるため、説明は省略する。仮アドレス生成アイコン１１３及びグループ生成アイコン１１４については、後述する。表示部２００のその他の構成は表示部１００と同じであるため、説明は省略する。
【００７３】
次に、照明設定装置１０ａの動作について説明する。
【００７４】
図１０は、実施の形態２に係る照明設定装置１０ａの動作の一例を示すフローチャートである。
【００７５】
まず、スケジュール生成部１２は、照明器具３０の調光率を時刻に応じて変更するためのスケジュールを生成する（Ｓ２１）。
【００７６】
次に、仮アドレス生成部１４は、照明器具３０の仮アドレスを生成する（Ｓ２２）。例えば、照明器具３０が設置される数と同じ数の仮アドレスが生成される。本実施の形態では、照明器具３０ａ〜３０ｄの４つの照明器具が設置されるため、４つの仮アドレスが生成される。
【００７７】
次に、グループ生成部１５は、仮アドレス生成部１４が生成した仮アドレスをグループ分けする（Ｓ２３）。ここで、グループとは、例えば、同じスケジュールで照明器具３０を動作させるためのグループである。本実施の形態では、仮アドレスは２つのグループにグループ分けされる。
【００７８】
次に、割当部１３は、グループ生成部１５がグループ分けしたグループをスケジュール生成部１２が生成したスケジュールに割り当てる（Ｓ２４）。割当部１３は、仮アドレスが属するグループとスケジュールとを対応付ける。これにより、割当部１３は、仮アドレスとスケジュールとを対応付ける。そして、ステップＳ２４の後に照明器具３０の施工が完了する。
【００７９】
次に、取得部１１は、照明器具３０が有するアドレスを取得する（Ｓ２５）。
【００８０】
そして、割当部１３は、取得部１１が取得したアドレスを仮アドレスに割り当てる（Ｓ１６）。これにより、割当部１３は、取得部１１が取得したアドレスをスケジュール生成部１２が生成したスケジュールに割り当てる。
【００８１】
このように、照明設定装置１０は、照明器具３０の施工が完了する前に、予めスケジュール及びグループ分けされた仮アドレスを生成し、グループとスケジュールとを対応付けることで、仮アドレスとスケジュールとを対応付ける。そして、照明器具３０の施工が完了した後にアドレスを仮アドレスに割り当てる。
【００８２】
ステップＳ２１〜Ｓ２６の具体的な動作について、本実施の形態では、表示部２００に表示されたアイコンを操作することで行われる。
【００８３】
ステップＳ２１での動作はステップＳ１１での動作と同じであるため説明は省略する。なお、本実施の形態においてスケジュール生成部１２が生成するスケジュールは、図３に示されるスケジュールと同じものとする。
【００８４】
次に、ステップＳ２２〜Ｓ２６での具体的な動作について、図１１〜１７を用いて説明する。
【００８５】
まず、ステップＳ２２での動作について説明する。
【００８６】
図１１は、実施の形態２に係る表示部２００の、仮アドレスが配置されたときの表示の一例を示す図である。実施の形態１では、表示部１００はスケジュール生成画面を表示したが、本実施の形態では、表示部２００は、例えば、スケジュール生成画面及びフロアマップを表示する。例えば、照明設定装置１０ａが切り替えボタンを有し、切り替えボタンが操作されることで、スケジュール生成画面とフロアマップとが切り替えられてもよい。また、例えば、表示部２００が切り替えアイコンを有し、切り替えアイコンが操作されることで、スケジュール生成画面とフロアマップとが切り替えられてもよい。フロアマップは、実際のフロアにおいて施工される照明器具３０の配置を模擬するためのマップである。例えば、実際のフロアにおいて、照明器具３０は、照明器具３０ａ、３０ｂ、３０ｃ、３０ｄの順番で横一列に並ぶとする。
【００８７】
仮アドレス生成部１４が照明器具３０の仮アドレスを生成することで、例えば、図１１に示されるように、仮アドレスを示す仮アドレスアイコン１０３が、表示部１００に表示されたフロアマップ上に配置される。具体的には、仮アドレス生成アイコン１１３が操作（例えばクリック）されることで、仮アドレスアイコン１０３がフロアマップ上に配置される。つまり、仮アドレス生成アイコン１１３が操作され、仮アドレスアイコン１０３がフロアマップ上に配置されることで、仮アドレス生成部１４は照明器具３０の仮アドレスを生成する。本実施の形態では、照明器具３０ａ〜３０ｄの４つの照明器具が設置されるため、４つの仮アドレスを生成する必要がある。例えば、ユーザは、仮アドレス生成アイコン１１３を４回操作することで４つの仮アドレスアイコン１０３ａ〜１０３ｄを配置する。なお、より多くの照明器具３０を模擬した複数の仮アドレスアイコン１０３を配置する場合もあるため、１度の操作で複数の仮アドレスアイコン１０３を配置するためのアイコンがあってもよい。仮アドレスアイコン１０３ａ〜１０３ｄには、それぞれ仮アドレス１〜４が対応付けられている。また、仮アドレスアイコン１０３は、ユーザに操作（例えば、ドラッグアンドドロップ）されることで、フロアマップ上を可動する。これにより、実際のフロアに照明器具３０が施工される前に、実際のフロアにおいて施工される予定の照明器具３０の配置を仮アドレスアイコン１０３の配置によって模擬することができる。例えば、図１１に示されるように、仮アドレスアイコン１０３ａは照明器具３０ａ、仮アドレスアイコン１０３ｂは照明器具３０ｂ、仮アドレスアイコン１０３ｃは照明器具３０ｃ、仮アドレスアイコン１０３ｄは照明器具３０ｄを模擬している。つまり、仮アドレスアイコン１０３ａ〜１０３ｄは、横一列に並んで配置される予定の照明器具３０ａ〜３０ｄを模擬している。
【００８８】
次に、ステップＳ２３での動作について説明する。
【００８９】
図１２は、実施の形態２に係る表示部２００の、仮アドレスがグループ分けされたときの表示の一例を示す図である。
【００９０】
グループ生成部１５が、仮アドレス生成部１４が生成した仮アドレスをグループ分けすることで、例えば、図１２に示されるように、仮アドレスを示す仮アドレスアイコン１０３が、２つのグループ（グループ１及びグループ２）にグループ分けされる。
【００９１】
なお、グループ生成部１５がグループ分けする方法は限定されない。例えば、グループ生成部１５は、グループ生成アイコン１１４が操作（例えばクリック）されることで、グループを生成してもよい。グループ生成部１５は、例えば、グループ生成アイコン１１４が操作されると、生成するグループの数及びそれぞれのグループに属する仮アドレス等を入力するモードになり、グループが生成されてもよい。また、グループ生成部１５は、例えば、グループ生成アイコン１１４が操作されると、仮アドレスアイコン１０３をグループ分けするための、グループ分けアイコン１０４をフロアマップ上に生成してもよい。ここでは、グループ分けアイコン１０４をフロアマップ上に生成する場合について説明する。
【００９２】
本実施の形態では、仮アドレスを２つのグループにグループ分けする。例えば、ユーザは、グループ生成アイコン１１４を２回操作することで２つのグループ分けアイコン１０４ａ及び１０４ｂを配置する。グループ分けアイコン１０４ａ及び１０４ｂは、それぞれグループ１及びグループ２が対応付けられている。また、グループ分けアイコン１０４は、ユーザに操作（例えば、ドラッグアンドドロップ及び拡大縮小）されることで、フロアマップ上を可動し、少なくとも１つの仮アドレスアイコン１０３を囲む大きさに変化する。ここでは、グループ分けアイコン１０４ａが仮アドレスアイコン１０３ａ及び１０３ｂを囲み、グループ分けアイコン１０４ｂが仮アドレスアイコン１０３ｃ及び１０３ｄを囲むことで、仮アドレスがグループ分けされる。つまり、仮アドレス１及び２がグループ１にグループ分けされ、仮アドレス３及び４がグループ２にグループ分けされる。このように、グループ生成アイコン１１４が操作され、グループ分けアイコン１０４がフロアマップ上に配置され、さらに、グループ分けアイコン１０４が仮アドレスアイコン１０３を囲むことで、グループ生成部１５は仮アドレスをグループ分けする。
【００９３】
次に、ステップＳ２４での動作について、図１３及び図１４を用いて説明する。
【００９４】
図１３は、実施の形態２に係る表示部２００の、グループアイコンが配置されたときの表示の一例を示す図である。
【００９５】
グループ生成部１５が仮アドレスをグループ分けすると、例えば、図１３に示されるようにグループアイコン１０５が表示部２００に配置される。グループアイコン１０５は、例えば、仮アドレスがグループ分けされたグループの数に応じて、配置される。本実施の形態では、仮アドレスが２つのグループにグループ分けされるため、グループアイコン１０５は２つ配置される。グループアイコン１０５ａは、グループ１が対応付けられており、グループアイコン１０５ｂは、グループ２が対応付けられている。
【００９６】
図１４、実施の形態２に係る表示部２００の、グループアイコン１０５とスケジュールアイコン１０１とが重なったときの表示の一例を示す図である。
【００９７】
割当部１３は、グループ生成部１５がグループ分けしたグループをスケジュール生成部１２が生成したスケジュールに割り当てる。例えば、ユーザがグループアイコン１０５とスケジュールアイコン１０１とを重ねることで、割当部１３は、グループ生成部１５がグループ分けしたグループをスケジュール生成部１２が生成したスケジュールに割り当てる。具体的には、ユーザがグループアイコン１０５をスケジュール生成画面に表示されたスケジュールアイコン１０１上に配置（ドラッグアンドドロップ）する。これにより、グループはスケジュールに割り当てられる。例えば、グループ１に属する仮アドレスアイコン１０３ａ及び１０３ｂで模擬された照明器具３０ａ及び３０ｂをスケジュール１に応じて制御する場合、図１４に示されるように、グループ１はスケジュール１に割り当てられる。また、例えば、グループ２に属する仮アドレスアイコン１０３ｃ及び１０３ｄで模擬された照明器具３０ｃ及び３０ｄをスケジュール２に応じて制御する場合、グループ２はスケジュール２に割り当てられる。言い換えると、グループ１に属する仮アドレス１及び２はスケジュール１に割り当てられ、グループ２に属する仮アドレス３及び４はスケジュール２に割り当てられる。
【００９８】
次に、ステップＳ２５での動作について図１５を用いて説明する。
【００９９】
図１５は、実施の形態２に係る表示部２００の、アドレスが取得されたときの表示の一例を示す図である。
【０１００】
ステップＳ２５での動作は、ステップＳ１２での動作と同様であり、取得部１１は、例えば、アドレス取得アイコン１１２がユーザに操作されることで、照明器具３０が有するアドレスを取得する。図１５に示されるように、表示部２００は、取得部１１が取得したアドレスを示すアドレスアイコン１０２を表示する。また、ユーザは、照明器具３０が有するアドレスを認識していないため、図５に示される方法で照明器具３０のそれぞれが有しているアドレスを確認する。これにより、ユーザは、照明器具３０ａがアドレス３を有し、照明器具３０ｂがアドレス１を有し、照明器具３０ｃがアドレス２を有し、照明器具３０ｄがアドレス４を有することがわかる。
【０１０１】
次に、ステップＳ２６での動作について、図１６及び図１７を用いて説明する。
【０１０２】
図１６は、実施の形態２に係るアドレスを仮アドレスに割り当てる様子を示す図である。
【０１０３】
割当部１３は、取得部１１が取得したアドレスを仮アドレスに割り当てる。例えば、ユーザがアドレスアイコン１０２と仮アドレスアイコン１０３とを重ねることで、取得部１１が取得したアドレスを仮アドレスに割り当てる。具体的には、ユーザがアドレスアイコン１０２をフロアマップに表示された仮アドレスアイコン１０３上に配置（ドラッグアンドドロップ）する。上述したように、仮アドレスアイコン１０３ａは照明器具３０ａ、仮アドレスアイコン１０３ｂは照明器具３０ｂ、仮アドレスアイコン１０３ｃは照明器具３０ｃ、仮アドレスアイコン１０３ｄは照明器具３０ｄを模擬している。また、ユーザは、照明器具３０ａはアドレス３を有し、照明器具３０ｂはアドレス１を有し、照明器具３０ｃはアドレス２を有し、照明器具３０ｄはアドレス４を有することを認識している。これにより、例えばアドレス１が仮アドレス２に割り当てられる、つまり、アドレスアイコン１０２ａと仮アドレスアイコン１０３ｂとを重ねられることで、仮アドレスアイコン１０３ｂと照明器具３０ｂとは対応付けられる。また、仮アドレス２が属するグループ１は、スケジュール１に割り当てられているため、アドレス１を有する照明器具３０ｂはスケジュール生成部１２が生成したスケジュール１が対応付けられる。同様にして、図１７に示されるようにアドレスは仮アドレスに割り当てられる。
【０１０４】
図１７は、実施の形態２に係る表示部２００の、アドレスアイコン１０２と仮アドレスアイコン１０３とが重なったときの表示の一例を示す図である。
【０１０５】
図１７に示されるように、アドレス１は仮アドレス２、アドレス２は仮アドレス３、アドレス３は仮アドレス１、アドレス４は仮アドレス４に割り当てられる。これにより、照明器具３０と仮アドレス（照明器具３０を模擬した仮アドレスアイコン１０３）とは対応付けられる。また、アドレス１及び３はグループ１が割り当てられたスケジュール１に割り当てられ、また、アドレス２及び４はグループ２が割り当てられたスケジュール２に割り当てられる。これにより、照明器具３０とスケジュールとが対応付けられる。
【０１０６】
そして、照明設定装置１０ａは、表示部２００上でユーザによって操作されたアイコンの配置に基づく照明設定装置１０が設定した情報（アドレスとスケジュールとが対応付けられた情報）を、コントローラ２０に送信する。具体的には、照明設定装置１０ａは、アドレス１及び３を有する照明器具３０をスケジュール１、アドレス２及び４を有する照明器具３０をスケジュール２で制御するための情報をコントローラ２０に送信する。そして、コントローラ２０は、アドレス３を有する照明器具３０ａ及びアドレス１を有する照明器具３０ｂをスケジュール１で制御し、アドレス２を有する照明器具３０ｃ及びアドレス４を有する照明器具３０ｄをスケジュール１で制御する。
【０１０７】
［効果等］
照明設定装置１０ａは、さらに、照明器具３０の仮アドレスを生成する仮アドレス生成部１４と、仮アドレス生成部１４が生成した仮アドレスをグループ分けするグループ生成部１５と、を備える。割当部１３は、グループ生成部１５がグループ分けしたグループをスケジュール生成部１２が生成したスケジュールに割り当てる。そして、割当部１３は、取得部１１が取得したアドレスを仮アドレスに割り当てることで、取得部１１が取得したアドレスをスケジュール生成部１２が生成したスケジュールに割り当てる。
【０１０８】
これにより、照明器具３０の施工が完了する前、つまり、照明器具３０の施工が開始される前、又は、照明器具３０の施工中に並行して、予め、例えばスケジュールの生成及びグループ分けをすることができる。また、グループ生成部１５がグループ分けしたグループをスケジュール生成部１２が生成したスケジュールに割り当て、取得部１１が取得したアドレスを仮アドレスに割り当てるだけで照明器具３０の設定（スケジューリング）を簡単に行うことができる。したがって、照明器具の設定作業を効率化できる。
【０１０９】
具体的には、図１８を用いて説明する。
【０１１０】
図１８は、実施の形態２に係るスケジュールに、仮アドレスが割り当てられた状態からアドレスが割り当てられた状態に変わる様子を示す図である。図１８の（ａ）では、スケジュール生成部１２が生成したスケジュールにグループ（グループに属する仮アドレス）が割り当てられている。これにより、照明器具３０の施工が完了する前に、照明器具３０の配置を模擬した仮アドレスをグループ分けしておき、所定のグループに属する仮アドレスに所定のスケジュールを割り当てることができる。つまり、予め、照明設定装置１０ａにおいて、照明器具３０の仮アドレスをグループ分けし、グループ分けしたグループ毎にスケジュールを割り当てることができる。そして、照明器具３０の施工が完了した後に、照明器具３０のアドレスを取得し、取得したアドレスを仮アドレスに割り当てることで、図１８の（ｂ）に示されるように、照明器具３０のグループ毎にスケジュールを割り当てることができる。
【０１１１】
照明設定装置１０ａは、さらに、スケジュール生成部１２が生成したスケジュールを示すスケジュールアイコン１０１と、取得部１１が取得したアドレスを示すアドレスアイコン１０２と、仮アドレス生成部１４が生成した仮アドレスを示す仮アドレスアイコン１０３と、グループ生成部１５がグループ分けしたグループを示すグループアイコン１０５と、を表示する表示部２００を備える。割当部１３は、ユーザがグループアイコン１０５とスケジュールアイコン１０１とを重ねることで、グループ生成部１５がグループ分けしたグループをスケジュール生成部１２が生成したスケジュールに割り当てる。また、割当部１３は、ユーザがアドレスアイコン１０２と仮アドレスアイコン１０３とを重ねることで、取得部１１が取得したアドレスを仮アドレスに割り当てる。
【０１１２】
これにより、ユーザは表示部２００に表示されたアイコンを操作するだけで簡単に仮アドレスをグループ分けしたグループをスケジュール生成部１２が生成したスケジュールに割り当てることができ、取得部１１が取得したアドレスを仮アドレス生成部１４が生成した仮アドレスに割り当てることができるため、照明器具の設定作業を効率化できる。
【０１１３】
（その他の実施の形態）
以上、本発明に係る照明設定装置、照明システム及び照明設定方法について、上記実施の形態に基づいて説明したが、本発明は、上記の実施の形態に限定されるものではない。
【０１１４】
上記実施の形態２では、照明設定装置１０ａは、スケジュール生成部１２を備えたが、これに限らない。例えば、照明設定装置１０ａは、スケジュール生成部１２を備えなくてもよい。具体的には、その他の実施の形態に係る照明設定装置は、照明器具３０の仮アドレスを生成する仮アドレス生成部１４と、仮アドレス生成部１４が生成した仮アドレスをグループ分けするグループ生成部１５と、照明器具３０が有するアドレスを取得する取得部１１と、グループ生成部１５が仮アドレスをグループ分けした後に取得部１１が取得したアドレスを仮アドレスに割り当てる割当部１３と、を備える。
【０１１５】
これにより、照明器具３０の施工が完了する前、つまり、照明器具３０の施工が開始される前、又は、照明器具３０の施工中に並行して、予め、例えばグループの生成をすることができる。また、取得部１１が取得したアドレスを仮アドレス生成部１４が生成した仮アドレスに割り当てるだけで照明器具３０の設定（グルーピング）を簡単に行うことができる。したがって、照明器具の設定作業を効率化できる。
【０１１６】
また、上記実施の形態では、照明設定装置１０は、照明器具３０の点灯状態として調光率を変更するための設定を行ったが、これに限らない。例えば、照明設定装置１０は、照明器具３０の点灯状態として調光率及び色温度、又は、色温度のみを変更するための設定を行ってもよい。
【０１１７】
また、上記実施の形態１では、照明設定装置１０は、取得部１１が取得したアドレスをスケジュールに割り当てたが、これに限らない。例えば、照明設定装置１０は、照明器具３０の施工が完了する前に仮アドレスを生成し、仮アドレスをスケジュールに割り当ててもよい。そして、照明設定装置１０は、施工が完了した後に、取得部１１が取得したアドレスを仮アドレスに割り当ててもよい。
【０１１８】
なお、本発明の包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。例えば、本発明は、上記照明設定方法をコンピュータに実行させるためのプログラムとして実現されてもよい。
【０１１９】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１２０】
１、１ａ  照明システム
１０、１０ａ  照明設定装置
１１  取得部
１２  スケジュール生成部
１３  割当部
１４  仮アドレス生成部
１５  グループ生成部
２０  コントローラ
３０、３０ａ〜３０ｄ  照明器具
１００、２００  表示部
１０１、１０１ａ、１０１ｂ  スケジュールアイコン
１０２、１０２ａ〜１０２ｄ  アドレスアイコン
１０３、１０３ａ〜１０３ｄ  仮アドレスアイコン
１０５、１０５ａ、１０５ｂ  グループアイコン
【図１】
0006541067.tif 000002
【図２】
0006541067.tif 000003
【図３】
0006541067.tif 000004
【図４】
0006541067.tif 000005
【図５】
0006541067.tif 000006
【図６】
0006541067.tif 000007
【図７】
0006541067.tif 000008
【図８】
0006541067.tif 000009
【図９】
0006541067.tif 000010
【図１０】
0006541067.tif 000011
【図１１】
0006541067.tif 000012
【図１２】
0006541067.tif 000013
【図１３】
0006541067.tif 000014
【図１４】
0006541067.tif 000015
【図１５】
0006541067.tif 000016
【図１６】
0006541067.tif 000017
【図１７】
0006541067.tif 000018
【図１８】
0006541067.tif 000019